(57)【特許請求の範囲】
【請求項１】
壁面等の取付箇所に固定される取付用基台と、
測定機器を収容し、前記取付用基台に取り付けられるハウジングと、
を備えた検出器であって、
前記取付用基台に立設された少なくとも一対の基台側爪部と、
前記ハウジングに立設され、前記各基台側爪部と各々係合して、該ハウジングを前記取付用基台に固定する少なくとも一対のハウジング側爪部と、
を備えたことを特徴とする検出器。
【請求項２】
前記ハウジング側爪部には、前記基台側爪部の係合方向に位置する先端ほど径が小さくなるテーパが設けられていることを特徴とする前記請求項１に記載の検出器。
【請求項３】
前記一対の基台側爪部は、第１立設部と該第１立設部の先端側から外側に突出する第１凸部を備えるとともに、
前記一対のハウジング側爪部は、第２立設部と該第２立設部の先端側から内側に突出する第２凸部を備え、
前記第１立設部が前記第２凸部に係止し、かつ前記第２立設部が前記第１凸部に係止することにより、前記ハウジングを前記取付用基台に固定することを特徴とする前記請求項１又は２に記載の検出器。
【請求項４】
前記一対の基台側爪部は、第１立設部と該第１立設部の先端側から内側に突出する第１凸部を備えるとともに、
前記一対のハウジング側爪部は、第２立設部と該第２立設部の先端側から外側に突出する第２凸部を備え、
前記第１立設部が前記第２凸部に係止し、かつ前記第２立設部が前記第１凸部に係止することにより、前記ハウジングを前記取付用基台に固定することを特徴とする前記請求項１又は２に記載の検出器。
【請求項５】
前記ハウジング側爪部の先端部のうち、前記第１立設部が接する側には、先端ほど径が小さくなる第１テーパを設け、かつ前記第１凸部が接する側には、先端ほど径が小さくなる第２テーパを設けたことを特徴とする前記請求項３又は４に記載の検出器。
【請求項６】
壁面等の取付箇所に固定される取付用基台と、
測定機器を収容し、前記取付用基台に取り付けられるハウジングと、
を備えた検出器であって、
前記取付用基台に形成された少なくとも一対の取付穴と、
前記ハウジングに立設され、前記各取付穴に各々圧入されて係合して、該ハウジングを前記取付用基台に固定する少なくとも一対の爪部と、
を備えるとともに、
前記爪部は、
前記ハウジングから伸びる立設部と、
該立設部の先端に設けられて、前記取付穴の内径以下の外径を有する首部と、
該首部より大径で、前記取付穴への圧入が可能な弾性を有するとともに、その先端側が切り欠かれた先端部と、
を備えたことを特徴とする検出器。
【請求項７】
壁面等の取付箇所に固定される取付用基台と、
測定機器を収容し、前記取付用基台に所定角度回転させて取り付けられるハウジングと、
を備えた検出器であって、
前記取付用基台に形成された少なくとも一対の取付穴と、
前記ハウジングに立設され、その略球状である先端部が立設部より大径とされ、前記各取付穴に各々嵌め込まれる一対の爪部と、
を備えるとともに、
前記取付穴は、
前記先端部が嵌合可能な径を有する嵌込穴部と、
前記立設部より大きく前記先端部より小さな径を有する固定穴部と、
前記嵌込穴部と前記固定穴部とを連結して、前記立設部が移動可能な連結穴部と、
を備えたことを特徴とする検出器。
【発明の詳細な説明】
【０００１】
【発明の属する技術分野】
本発明は、例えば室内型の温度、湿度、二酸化炭素、ほこり等の測定用やモニター用の検出器に関する。
【０００２】
【従来の技術】
従来より、室内にて使用される例えばガスセンサー等の各種の測定用やモニター用の検出器は、▲１▼例えば検出器本体に空をあけておき、この穴を利用して壁面に直接にビス等で固定されていた（実公平７−４７７０８号公報参照）。または、▲２▼壁面に固定されたネジに、電子部品を収容するハウジングを引っかけて、検出器を壁面に取り付けていた。
【０００３】
【発明が解決しようとする課題】
ところが、上述したように検出器を取り付ける場合には、下記の問題があり、一層の改善が望まれていた。
例えば前記▲１▼の場合には、検出器の配線時などにおける検出器の脱着時に、ケースカバーを取り、回路部品がむき出し状態でビス等を締めたりするため、ドライバー等の工具で、回路部品等を損傷することがあった。
【０００４】
また、▲２▼の場合には、単にビス等にハウジングを引っかけるだけであるので、検出器の固定が安定しておらず、取り付け作業時などに検出器が外れて落下することがあった。
本発明は、前記課題を解決するためになされたものであり、検出器の取付等の際に回路部品を損傷することなく、しかも、検出器をしっかりと壁面等に固定できる検出器を提供することを目的とする。
【０００５】
【課題を解決するための手段】
前記目的を達成するための請求項１の発明は、壁面等の取付箇所に固定される取付用基台と、測定機器を収容し、取付用基台に取り付けられるハウジングと、を備えた検出器であって、取付用基台に立設された少なくとも一対の基台側爪部と、ハウジングに立設され、各基台側爪部と各々係合して、ハウジングを取付用基台に固定する少なくとも一対のハウジング側爪部と、を備えたことを特徴とする検出器を要旨とする。
【０００６】
請求項２の発明は、ハウジング側爪部には、基台側爪部の係合方向に位置する先端ほど径が小さくなるテーパが設けられていることを特徴とする請求項１に記載の検出器を要旨とする。
請求項３の発明は、一対の基台側爪部は、第１立設部と第１立設部の先端側から外側に突出する第１凸部を備えるとともに、一対のハウジング側爪部は、第２立設部と第２立設部の先端側から内側に突出する第２凸部を備え、第１立設部が第２凸部に係止し、かつ第２立設部が第１凸部に係止することにより、ハウジングを取付用基台に固定することを特徴とする請求項１又は２に記載の検出器を要旨とする。
【０００７】
請求項４の発明は、一対の基台側爪部は、第１立設部と第１立設部の先端側から内側に突出する第１凸部を備えるとともに、一対のハウジング側爪部は、第２立設部と第２立設部の先端側から外側に突出する第２凸部を備え、第１立設部が第２凸部に係止し、かつ第２立設部が第１凸部に係止することにより、ハウジングを取付用基台に固定することを特徴とする請求項１又は２に記載の検出器を要旨とする。
【０００８】
請求項５の発明は、ハウジング側爪部の先端部のうち、第１立設部が接する側には、先端ほど径が小さくなる第１テーパを設け、かつ第１凸部が接する側には、先端ほど径が小さくなる第２テーパを設けたことを特徴とする請求項３又は４に記載の検出器を要旨とする。
【０００９】
請求項６の発明では、壁面等の取付箇所に固定される取付用基台と、測定機器を収容し、取付用基台に取り付けられるハウジングと、を備えた検出器であって、取付用基台に形成された少なくとも一対の取付穴と、ハウジングに立設され、各取付穴に各々圧入されて係合して、ハウジングを取付用基台に固定する少なくとも一対の爪部と、を備えるとともに、爪部は、ハウジングから伸びる立設部と、立設部の先端に設けられて、取付穴の内径以下の外径を有する首部と、首部より大径で、取付穴への圧入が可能な弾性を有するとともに、その先端側が切り欠かれた先端部と、を備えたことを特徴とする検出器を要旨とする。
【００１０】
請求項７の発明では、壁面等の取付箇所に固定される取付用基台と、測定機器を収容し、前記取付用基台に所定角度回転させて取り付けられるハウジングと、を備えた検出器であって、取付用基台に形成された少なくとも一対の取付穴と、ハウジングに立設され、その略球状である先端部が立設部より大径とされ、各取付穴に各々嵌め込まれる一対の爪部と、を備えるとともに、取付穴は、先端部が嵌合可能な径を有する嵌込穴部と、立設部より大きく先端部より小さな径を有する固定穴部と、嵌込穴部と固定穴部とを連結して、立設部が移動可能な連結穴部と、を備えたことを特徴とする検出器を要旨とする。
【００１１】
【発明の実施の形態】
請求項１の発明では、取付用基台に立設された基台側爪部とハウジングに立設されたハウジング側爪部とが係合することにより、壁面等の取付箇所に固定された取付用基台にハウジングが固定される。これにより、ハウジングを取付用基台に取り付けるだけで、検出器を壁面等に容易にしかもしっかりと固定することができる。また、本発明では、従来の様にビス等で止める構成ではないため、検出器の取り付け等の際に内部の測定機器の回路部品を損傷することがない。
【００１２】
請求項２の発明では、ハウジング側爪部には、その先端ほど径が小さなテーパが設けられているので、即ち先端の方が小さいので、ハウジング側爪部を係合方向に進入させて基台側爪部に係合することが容易になる。
請求項３の発明では、一対のハウジング側爪部を一対の基台側爪部に対して係合する方向に進入させて係合させた場合、ハウジング側爪部の第２凸部が基台側爪部の第１立設部に係止して、ハウジング側爪部の離脱方向（進入方向と逆方向）への移動が規制される。同時に、基台側爪部の第１凸部がハウジング側爪部の第２立設部に係止して、前記係合方向とは垂直方向の移動が規制される。これにより、ハウジングはしっかりと取付用基台に固定される。
【００１３】
請求項４の発明では、前記請求項３の発明とは、第１凸部及び第２凸部の向きは逆であるが、前記請求項３と同様に、ハウジング側爪部と基台側爪部とが係合する際の動きを規制するので、ハウジングはしっかりと取付用基台に固定される。
【００１４】
請求項５の発明では、ハウジング側爪部の先端部のうち、第１立設部が接する側には、先端ほど径が小さくなる第１テーパを設け、かつ第１凸部が接する側には、先端ほど径が小さくなる第２テーパを設けてあるので、ハウジング側爪部と基台側爪部との係合をスムーズに行うことができる。
【００１５】
請求項６の発明では、測定機器を収容したハウジングを取付用基台に固定する場合には、ハウジングに立設された爪部を取付用基台の取付穴に圧入する。この際には、弾性を有する切欠のある先端部が小さくたわんで、取付用基台の取付穴をくぐり抜け、小径の首部にて取付穴に係合する。そして一旦係合した後は、先端部は拡がって、爪部の取付穴からの抜け落ちを防止するので、ハウジングは取付用基台にしっかりと固定される。従って、ハウジングに人や物が触れても、壁面等から取れて落下することがない。
【００１６】
請求項７の発明では、測定機器を収容したハウジングを取付用基台に固定する場合には、取付用基台の取付穴の嵌合穴部に、ハウジングに立設された爪部を嵌め込み、ハウジングを取付用基台に対して所定角度回転させて、爪部を連結穴部を介して固定穴部に移動させる。このハウジングの爪部の先端部は、固定穴部より大径であって略球状であるので、ハウジングを回転させた後には、爪部は取付穴から外れることがない。従って、ハウジングに人や物が触れても、壁面等から取れて落下することがない。
【００１７】
【実施例】
以下、本発明の実施例を図面に基づいて説明する。
（実施例１）
ａ）図１は検出器を分解して示す斜視図であり、図２はそのＡ−Ａ断面図である。
【００１８】
図１及び図２に示す様に、本実施例の湿度を検出する検出器は、略四角形状のプラスチック製（例えばＡＢＳ樹脂製）のハウジング１と、略四角形状の金属製（例えば鉄）の取付用基台（以下取付金具と称す）２を備えており、壁面等の取付位置に固定される取付金具２に対してハウジング１を装着することによって、検出器自身を壁面等に取り付けるものである。
【００１９】
前記ハウジング１は、裏側（図２の下方）に開口３ａを有する箱状の蓋部３と、この蓋部３の開口３ａに嵌合する箱状の底部４とから構成されている。このうち、蓋部３には、その上面及び下面（図１の上下方向）に多数の通気孔６が形成されている。
【００２０】
また、底部４は、裏側にゆくほど径が小さくなる枠体７と、測定機器である湿度センサ８等の電子部品等を搭載した回路基板９と、端子台１１への電源及び出力線の配線口１２があけられた隔壁１３と、取付金具２が嵌る開口部１４とを有している。尚、図３（ａ）に示す様に、回路基板９は、その四隅にてネジ１０によって側壁１３の表側に固定されている。
【００２１】
特に、図３（ｂ）に示す様に、側壁１３の裏側においてその配線口１２の左右の位置には、図３（ｂ）の手前側（図２では下方）に突出してから図３（ｂ）の下方に伸びる様に、略逆Ｌ字状の一対のハウジング側爪部１６ａ，１６ｂが立設されている。
【００２２】
つまり、この一対のハウジング側爪部１６は、図４に示す様に（同図では手前に側壁１３がある）、前記側壁１３の裏側に立設された略直方体の台部１７ａ，１７ｂと、（側壁１３とは隙間を空けて）該台部１７ａ，１７ｂから下方に伸びる第２立設部１８ａ，１８ｂと、該第２立設部１８ａ，１８ｂの先端から互いに向い合う様に内側に突出する第２凸部１９ａ，１９ｂとから構成されている。尚、側壁１３と第２立設部１８ａ，１８ｂとの隙間は、後述する取付金具２の第１凸部２８ａ，２８ｂを嵌り込むことができる程度に設定されている。
【００２３】
前記ハウジング側爪部１６ａ，１６ｂの先端部分には、その先端側の径が小さくなる様に、第１テーパ部２１ａ，２１ｂ及び第２テーパ部２２ａ，２２ｂが形成されている。具体的には、第１テーパ部２１ａ，２１ｂは、互いに向かい合う第２凸部１８ａ，１８ｂの先端側（同図の下方）が細くなる様に形成され、第２テーパ部２２ａ，２２ｂは、第２立設部１８ａ，１８ｂのハウジング１の表側（＝取付金具２とは反対方向）の先端側が細くなる様に形成されている。
【００２４】
一方、前記取付金具２は、図１，図４に示す様に、中央よりやや上側に開口部２３を有するものであり、開口部２３の左右には、ネジ２５ａ，２５ｂを通すためのネジ穴２４ａ，２４ｂが設けられている。尚、ネジ穴２４ｂは丸穴であるが、ネジ穴２４ａは取付金具２の傾きを調節するために縦が長く形成されている。
【００２５】
また、取付金具２の開口部２３の側端部には、前記一対のハウジング側爪部１６ａ，１６ｂと各々係合する一対の基台側爪部（金具側爪部）２６ａ，２６ｂが立設されている。この一対の金具側爪部２６ａ，２６ｂは、取付金具２から垂直に伸びる第１立設部２７ａ，２７ｂと、該第１立設部２７ａ，２７ｂの先端から互いに外側に突出する第１凸部２８ａ，２８ｂとから構成されている。
【００２６】
尚、前記取付金具２は、例えばプレスによる打ち抜きによって形成され、その時には、図５に示す様に、金具側爪部２６ａ，２６ｂとなる部分２６ａ’，２６ｂ’が開口部２３の内側に向けて突出しているが、その後、第１立設部２７ａ，２７ｂ及び第１凸部２８ａ，２８ｂとなる部分２７ａ’，２７ｂ’，２８ａ’，２８ｂ’が、各々直角に曲げられることにより、金具側爪部２６ａ，２６ｂが形成される。
【００２７】
ｂ）次に、本実施例の検出器の取付方法について説明する。
前記図１に示す様に、まず、壁等の取付位置に取付金具２を配置し、そのネジ穴２４ａ，２４ｂにネジ２５ａ，２５ｂをねじ込んで取付金具２を固定する。
次に、この取付金具２にハウジング１を取り付ける。具体的には、ハウジング１の底部４の開口部１４を取付金具２に近づけ、図６（ａ）に示す様に、各金具側爪部２６ａ，２６ｂの上方に各ハウジング側爪部１６ａ，１６ｂを配置し、この状態でハウジング１を下降させて、図６（ｂ）に示す様に、各ハウジング側爪部１６ａ，１６ｂを各金具側爪部２６ａ，２６ｂに嵌合させる。
【００２８】
つまり、この嵌合動作によって、ハウジング側爪部１６ａ，１６ｂの第２凸部１９ａ，１９ｂが、金具側爪部２６ａ，２６ｂの第１立設部２７ａ、２７ｂの外側を越えることにより、第２凸部１９ａ，１９ｂが第１立設部２７ａ，２７ｂに係止する。
【００２９】
この様に、本実施例では、上述した構造のハウジング側爪部１６ａ，１６ｂ及び金具側爪部２６ａ，２６ｂを備えているので、金具側爪部２６ａ，２６ｂにハウジング側爪部１６ａ，１６ｂを係合するだけで、ハウジング１を取付金具２に取り付けることができる。これにより、検出器自身を壁等の取付位置に、容易にしかもしっかりと固定することができる。そのため、人や物等が検出器に当たったとしても、検出器が落下することはない。また、従来の様に、ネジ等で検出器自身を壁面等に取り付ける構造ではないため、作業中に検出器の内部の測定機器を破損することもない。
【００３０】
特に、本実施例の検出器においては、一旦係合した後は、図６（ａ）に示す様に、ハウジング側爪部１６ａ，１６ｂの脱落する方向（上方向＝ｙ軸方向）への移動への移動は、金具側爪部２６ａ，２６ｂの第１立設部２７ａ，２７ｂがハウジング側爪部１６ａ，１６ｂの第２凸部１９ａ，１９ｂに係止することにより防止される。また、図６（ｃ）に示す様に、ハウジング側爪部１６ａ，１６ｂのｚ軸方向への移動は、金具側爪部２６ａ，２６ｂの第１凸部２８ａ，２８ｂがハウジング側爪部１６ａ，１６ｂの第２立設１８ａ，１８ｂ部に係止することにより防止される。そのため、検出器は前後左右（＝ｙ軸方向及びｚ軸方向）にがたつくことなく、しっかりと取付金具２に固定される。
【００３１】
また、本実施例では、ハウジング側爪部１６ａ，１６ｂの先端には、第１テーパ部２１ａ，２１ｂ及び第２テーパ部２２ａ，２２ｂが設けられているので、嵌合の際にハウジング側爪部１６ａ，１６ｂその進入位置が多少ずれても、ハウジング側爪部１６ａ，１６ｂを金具側爪部２６ａ，１６ｂにスムーズに嵌合させることができる。
【００３２】
更に、前記ハウジング側爪部１６ａ，１６ｂは、その根元に大径の台部１７ａ，１７ｂを備えているので、横方向（ｘ軸方向及びｚ軸方向）の曲げに対する強度が大きいという利点がある。
（実施例２）
次に、実施例２について説明する。
【００３３】
本実施例は、前記実施例１とは、ハウジング側爪部のみが異なるので、異なる部分を説明する。
図７（ａ）に示す様に、本実施例の検出器のハウジング側爪部３１ａ，３１ｂは、前記実施例１と同様な第２立設部３２ａ，３２ｂ及び第２凸部３３ａ，３３ｂ等を備えているが、台部を備えていない。
【００３４】
本実施例によっても、前記実施例１と同様な効果を奏するとともに、台部を備えていないので、ハウジング側爪部３１ａ，３１ｂの構成を簡易化できるという利点がある。
（実施例３）
次に、実施例３について説明する。
【００３５】
本実施例は、前記実施例１とは、ハウジング側爪部及び金具側爪部のみが異なるので、異なる部分を説明する。
図７（ｂ）に示す様に、本実施例の検出器のハウジング側爪部４１ａ，４１ｂ及び金具側爪部４２ａ，４２ｂは、前記実施例１とは、その向きが逆である。
【００３６】
つまり、ハウジング側爪部４１ａ，４１ｂの第２凸部４３ａ，４３ｂは、各々外方向に突出しており、一方、金具側爪部４２ａ，４２ｂの第１凸部４４ａ，４４ｂは、各々内方向に突出している。
本実施例によっても、前記実施例１と同様な効果を奏する。特に、本実施例では、ハウジングの寸法等の関係で、一対のハウジング側爪部４１ａ，４１ｂの間隔を狭くしなければならない場合に、好適に対応できるという利点がある。
（実施例４）
次に、実施例４について説明する。
【００３７】
本実施例は、前記実施例１とは、ハウジング側爪部のみが異なるので、異なる部分を説明する。
図８（ａ）に示す様に、本実施例の検出器のハウジング側爪部５１ａの先端部５２ａの径は、第２立設部５３ａよりかなり大きく、しかもｚ軸方向に凸に丸く形成されている。
【００３８】
そのため、本実施例によっても、前記実施例１と同様な効果を奏するとともに、ハウジング側爪部５１ａはｚ軸方向（図の左方向）及びｙ軸方向（上方向）に移動し難く、よってハウジング５４が取付金具５６から脱落し難いという利点がある。
（実施例５）
次に、実施例５について説明する。
【００３９】
本実施例は、前記実施例１とは、ハウジング側爪部のみが異なるので、異なる部分を説明する。
図８（ｂ）に示す様に、本実施例の検出器のハウジング側爪部６１ａは、ハウジング６２から取付金具６３方向に向かって斜めに立設されている。その先端部分には、ｚ軸方向に突出する第３凸部６４ａが形成されるとともに、先端に向かって薄くなる第３テーパ部６５ａが形成されている。
【００４０】
そのため、本実施例によっても、前記実施例１と同様な効果を奏するとともに、ハウジング側爪部６１ａはｚ軸方向（図の左方向）及びｙ軸方向（上方向）に移動し難く、よってハウジング６１が取付金具６３から脱落し難いという利点があ
（実施例６）
次に、実施例６について説明する。
【００４１】
本実施例は、前記実施例１とは、ハウジング側爪部及び取付金具が大きく異なるので、異なる部分を説明する。
図９に示す様に、本実施例の検出器のハウジング７１には、その隔壁７２の裏側から垂直に伸びる一対の爪部７３ａ，７３ｂが、横方向に並んで設けられている。
【００４２】
この爪部７３ａ，７３ｂは、ハウジング７１を取付金具７４に固定する際に使用されるものであり、図１０に示す様に、立設部７６ａ，７６ｂと、立設部７６ａ，７６ｂより小径の首部７７ａ，７７ｂと、首部７７ａ，７７ｂより大径で、その先端側が切り欠かれた弾性を有する先端部７８ａ，７８ｂとから構成されている。尚、前記爪部７３ａ，７３ｂの先端部７８ａ，７８ｂは、ハウジング７１の裏側端面より外側に突出している。
【００４３】
一方、前記取付金具７４は、図９に示す様に、開口部７９と、前記爪部７３ａ，７３ｂが係合する一対の取付穴８１ａ，８１ｂと、ネジ穴８２ａ，８２ｂとを有している。
従って、本実施例の検出器を壁面等に取り付ける場合には、ハウジング７１の爪部７３ａ，７３ｂの位置と壁面等に固定された取付金具７４の取付穴８１ａ，８１ｂの位置を一致させ、この状態で、ハウジング７１を矢印Ａ方向に押し込めばよい。つまり、この矢印Ａ方向へのハウジング７１の移動により、爪部７３ａ，７３ｂの分岐した先端部７８ａ，７８ｂが取付穴８１ａ，８１ｂにて狭まり、取付穴８１ａ，８１ｂをくぐり抜けてから広がり、首部７７ａ，７７ｂの位置にて係止される。
【００４４】
この様に、本実施例では、前記実施例１と同様な効果を奏するとともに、独特な構造の爪部７３ａ，７３ｂとそれに係合する取付穴８１ａ，８１ｂを備えているので、ハウジング７１の装着のための動作が１方向で済み、装着が極めて容易であるという利点がある。
（実施例７）
次に、実施例７について説明する。
【００４５】
本実施例は、前記実施例１とは、ハウジング側爪部及び取付金具が大きく異なるので、異なる部分を説明する。
図１１に示す様に、本実施例の検出器のハウジング９１には、その隔壁９２の裏側から垂直に伸びる一対の爪部９３ａ，９３ｂが、横方向に並んで設けられている。
【００４６】
この爪部９３ａ，９３ｂは、ハウジング９１を取付金具９４に固定する際に使用されるものであり、図１２に示す様に、立設部９６ａ，９６ｂと、立設部９６ａ，９６ｂより小径の首部９７ａ，９７ｂと、首部９７ａ，９７ｂより大径で略球状の先端部９８ａ，９８ｂとから構成されている。尚、前記爪部９３ａ，９３ｂの先端部９８ａ，９８ｂは、ハウジング９１の裏側端面より外側に突出している。
【００４７】
一方、前記取付金具９４は、図１１に示す様に、開口部９９と、前記爪部９３ａ，９３ｂが係合する一対の取付穴１０１ａ，１０１ｂと、ネジ穴１０２ａ，１０２ｂとを有している。
特に、本実施例では、ハウジング９１を回転させて取り付けるので、前記取付穴１０１ａ，１０１ｂは、回転方向に伸びる長穴となっている。具体的には、取付穴１０１ａ，１０１ｂは、爪部９３ａ，９３ｂの先端部９８ａ，９８ｂが嵌合可能な径を有する嵌込穴部１０６ａ，１０６ｂと、爪部９３ａ，９３ｂの立設部９６ａ，９６ｂ及び先端部９８ａ，９８ｂより小さく前記首部９７ａ，９７ｂより大きな径を有する固定穴部１０７ａ，１０７ｂと、嵌込穴部１０６ａ，１０６ｂと固定穴部１０７ａ，１０７ｂとを連結して首部９７ａ，９７ｂが移動可能な（前記固定穴部１０７ａ，１０７ｂの径と同じ幅を有する）連結穴部１０８ａ，１０８ｂとから構成されている。
【００４８】
尚、固定穴部１０７ａ，１０７ｂと連結穴部１０８ａ，１０８ｂとの境界部分には、一旦固定した爪部９３ａ，９３ｂが、連結穴部１０８ａ，１０８ｂ側に戻らない様に、各境界部分にて互いに向き合う微少な突起１０９ａ1，１０９ａ2，１０９ｂ1，１０９ｂ2が設けてある。
【００４９】
従って、本実施例の検出器を壁面等に取り付ける場合には、ハウジング９１の爪部９３ａ，９３ｂの位置と、壁面等に固定された取付金具９４の取付穴１０１ａ，１０１ｂの嵌込穴部１０６ａ，１０６ｂの位置を一致させ、この状態、即ち取付金具９４に対してハウジング９１が矢印Ｂ方向に回転して斜めになった状態で、ハウジング７１を矢印Ａ方向に移動させる。これにより、爪部９３ａ，９３ｂの先端部９８ａ，９８ｂが、嵌込穴部１０６ａ，１０６ｂを通過するので、この状態で、ハウジング９１を矢印Ｃ方向に回転させて、爪部９３ａ，９３ｂの首部９７ａ，９７ｂを固定穴部１０７ａ，１０７ｂに移動させる。これによって、ハウジング９１の取付金具９４に対する固定が完了する。
【００５０】
この様に、本実施例では、前記実施例１と同様な効果を奏するとともに、独特な構造の爪部９３ａ，９３ｂとそれに係合する取付穴１０１ａ，１０１ｂを備えているので、ハウジング９１を装着のための動作が回転動作となり、よって、一旦ハウジング９１を取り付けた後は、その脱落の恐れがないという効果がある。また、前記実施例６の様に、押圧する力が要らないの、破損の恐れが少ないという利点がある。
【００５１】
尚、本発明は前記実施例に限定されるものではなく、本実施例の要旨を逸脱しない範囲内で各種の態様で実施できることは勿論である。
【００５２】
【発明の効果】
以上、詳述したとおり、請求項１の発明では、ハウジングを取付用基台に取り付けるだけで、検出器を壁面等にしっかりと且つ容易に固定することができる。また、検出器の取付等の際に内部の測定機器の回路部品を損傷することがない。
【００５３】
請求項２の発明では、ハウジング側爪部の先端の方が小さいので、ハウジング側爪部を係合方向に進入させるだけで、容易に係合することができる。
請求項３の発明では、ハウジング側爪部及び基台側爪部の係止する構成が機能するので、ハウジングはしっかりと取付用基台に固定される。
【００５４】
請求項４の発明では、ハウジング側爪部と基台側爪部との係止する構成が機能するので、ハウジングはしっかりと取付用基台に固定される。
請求項５の発明では、ハウジング側爪部の先端側には、第１テーパ及び第２テーパを設けてあるので、ハウジング側爪部と基台側爪部との係合をスムーズに行うことができる。
【００５５】
請求項６の発明では、ハウジングを取付用基台に固定する場合には、ハウジングの爪部を取付用基台の取付穴に圧入して固定する構成であるので、ハウジングに人や物が触れても、壁面等から取れて落下することがない。
請求項７の発明では、ハウジングを取付用基台に固定する場合には、取付用基台の取付穴の嵌合穴部にハウジングの爪部の略球状の先端部を嵌め込んで、ハウジングを回転させて固定する構成であるので、ハウジングに人や物が触れても、壁面等から取れて落下することがない。
【図面の簡単な説明】
【図１】実施例１の検出器を分解して示す斜視図である。
【図２】実施例１のハウジングのＡ−Ａ断面及び取付金具を示す説明図である。
【図３】実施例１のハウジングを示し、（ａ）はその底部を表側から示す説明図、（ｂ）はハウジングの裏側を示す説明図である。
【図４】実施例１のハウジング側爪部及び取付金具を示す説明図である。
【図５】実施例１の取付金具のプレス成形した状態を示す説明図である。
【図６】実施例１のハウジング側爪部を金具側爪部に係合させる状態を示し、（ａ）は係合直前の状態を示す説明図、（ｂ）は係合後の状態を示す説明図、（ｃ）は係合後の状態を側方から示す説明図である。
【図７】他の実施例を示し、（ａ）は実施例２のハウジング側爪部の説明図、（ｂ）は実施例３のハウジング側爪部と金具側爪部との係合状態を示す説明図である。
【図８】更に他の実施例を示し、（ａ）は実施例４のハウジング側爪部と金具側爪部との係合状態を側方より示す説明図、（ｂ）は実施例５のハウジング側爪部と金具側爪部との係合状態を側方より示す説明図である。
【図９】実施例６の検出器を分解して示す斜視図である。
【図１０】実施例６の検出器の爪部を示し、（ａ）はその平面図、（ｂ）はその正面図、（ｃ）はその側面図である。
【図１１】実施例７の検出器を分解して示す斜視図である。
【図１２】実施例７の検出器の爪部を示し、（ａ）はその平面図、（ｂ）はその正面図、（ｃ）はその側面図である。
【符号の説明】
１，５４，６１，７１…ハウジング
２，５６，６３，７４…取付用基台（取付金具）
１６ａ，１６ｂ，３１ａ，３１ｂ，４１ａ，４１ｂ，５１ａ，６１ａ…ハウジング側爪部
１８ａ，１８ｂ，３２ａ，３２ｂ，５３ａ，…第２立設部
１９ａ，１９ｂ，３３ａ，３３ｂ，４３ａ，４３ｂ…第２凸部
２１ａ，２１ｂ…第１テーパ部
２２ａ，２２ｂ…第２テーパ部
２６ａ，２６ｂ，４２ａ，４２ｂ…基台側爪部（金具側爪部）
２７ａ，２７ｂ…第１立設部
２８ａ，２８ｂ，４４ａ，４４ｂ…第１凸部
７３ａ，７３ｂ，９３ａ，９３ｂ…爪部
８１ａ，８１ｂ，１０１ａ，１０１ｂ…取付穴
【図１】
0003540124.tif 000002
【図２】
0003540124.tif 000003
【図３】
0003540124.tif 000004
【図４】
0003540124.tif 000005
【図５】
0003540124.tif 000006
【図６】
0003540124.tif 000007
【図７】
0003540124.tif 000008
【図８】
0003540124.tif 000009
【図９】
0003540124.tif 000010
【図１０】
0003540124.tif 000011
【図１１】
0003540124.tif 000012
【図１２】
0003540124.tif 000013